(57)【要約】【課題】デジタルカメラの外部メモリに、画像に関連付ける定型句等の情報ファイルを定義し、デジタルカメラ上の操作で情報データを選択し、選択した情報データを撮影時にＥｘｉｆファイルに取り込むことが簡単にできるようにしたデジタルカメラ装置を得る。【解決手段】外部メモリを挿入するスロットを有するデジタルカメラ装置であって、外部メモリの中に定型句等が入った情報ファイルを定義し、デジタルカメラからの操作で指定された情報ファイルから定型句等を選択できる機能を有し、撮影時に選択した情報データをＥｘｉｆファイルに登録する機能を有する。外部メモリに供給されている内容に応じた情報データを選択するだけで情報データをＥｘｉｆファイルに付加できる。定義した属性に応じてデジタルカメラの画面表示をデジタルカメラからの切り替え操作によってまたは作業内容によって自動で切り替えることができる。【選択図】　図２
2004048564.tif 000002
【特許請求の範囲】
【請求項１】
外部メモリを挿入するスロットを有するデジタルカメラ装置であって、外部メモリの中に定型句等が入った情報ファイルを定義し、デジタルカメラからの操作で指定された情報ファイルから定型句等を選択できる機能を有し、撮影時に選択した情報データをＥｘｉｆファイルに登録する機能を有することにより、外部メモリに供給されている内容に応じた情報データを選択するだけで情報データをＥｘｉｆファイルに付加できることを特徴とするデジタルカメラ装置。
【請求項２】
外部メモリを挿入するスロットを有するデジタルカメラ装置であって、外部メモリの中に定型句等が入った情報ファイルを定義し、さらに、情報ファイル内または別ファイルに対応する情報項目の属性を定義し、その属性に応じてデジタルカメラの画面表示をデジタルカメラからの切り替え操作によってまたは作業内容によって自動で切り替えることができる機能を有することにより、外部メモリに供給されている内容に応じた操作画面に切り替えることができることを特徴とするデジタルカメラ装置。
【請求項３】
外部メモリを挿入するスロットを有するデジタルカメラ装置であって、外部メモリの中に定型句等が入った情報ファイルを定義し、さらに、情報ファイル内または別ファイルに情報ファイルの属性を定義し、その属性に応じてデジタルカメラからの操作で情報データを変化させる機能を有することにより、外部メモリに供給されている内容に応じて情報データを変化させることができることを特徴とするデジタルカメラ装置。
【請求項４】
外部メモリを挿入するスロットを有するデジタルカメラ装置であって、外部メモリの中に定型句等が入った情報ファイルを定義し、さらに、情報ファイル内または別ファイルに情報ファイルの属性を定義し、その属性に応じてデジタルカメラに予め登録してある情報データを、選択した情報データに追加しまたは切り替える機能を有することにより、外部メモリに供給されている内容に応じて情報データを自動的に変化させることができることを特徴とするデジタルカメラ装置。
【請求項５】
外部メモリを挿入するスロットを有し、外部メモリの中に定型句等が入った情報ファイルを定義し、デジタルカメラからの操作で指定された情報ファイルから定型句等を選択できる機能を有し、撮影時に選択した情報データをＥｘｉｆファイルに登録する機能を有するデジタルカメラであって、選択した情報データを撮影時のモニタリング画面に表示する機能を有し、その内容の情報項目数分を一括してまたは切り替えによって確認できる機能を有することにより、撮影直前に取り込まれる情報内容の再確認ができることを特徴とするデジタルカメラ装置。
【発明の詳細な説明】
【０００１】
【発明の属する技術分野】
本発明は、デジタルカメラ装置に関するもので、特にその記録画像の整理、分類の利便性を考慮したものである。本発明は、デジタルカメラ付きＰＤＡ（個人向け携帯型情報通信機器）、デジタルカメラ機能付きパームトップＰＣ（パーソナル・コンピュータ、以下「パソコン」という）、デジタルカメラ機能付きノートパソコン、デジタルカメラ機能付き電話機などに適用可能である。
【０００２】
【従来の技術】
デジタルカメラでは、感光フイルムが不要なこと、撮影直後に画像を見ることができること、不要な画像はその場で削除できることなどの手軽さから、多くの画像を撮影することが多い。しかし、撮影画像数が多いことから、撮影後、画像の整理分類の作業が煩雑になりやすい。その解決策として、画像に関連付けてＴＥＸＴや音声などのデータを記録し、パソコンやサーバーで自動処理をするデジタルカメラが開発されている。
【０００３】
画像に関連付けたデータを記録する方式として、ある種のデジタルカメラのように、パソコン上で予め作成したリストをデジタルカメラに取り込んで、撮影時に項目名を選択して関連付ける方式がある。また、デジタルカメラの中で、タッチパネルを使ったソフトウェアキーボードによって作成した内容を、撮影時にＥｘｉｆファイルに取り込む方法もある。そのほか、全ての記録ファイルを一旦パソコンに転送し、その後処理するものがある。また、特開平８−３１５１０６号公報に記載されている「デジタルカメラ及び画像データ流通システム」のように、手書き入力装置を装備し、手書きで付加情報を入力できるものもある。
【０００４】
従来のデジタルカメラの画像管理方式は、例えばソフトウェアキーボードを用いる例に代表されるように、画像に関連付けたデータを入力するというように、操作の煩雑さがあるため、定型句による事前登録が望まれていた。さらに、業種、業務別に特化した用語を使用したいという要求があり、画像に関連付けたデータの外部メモリによる供給や、インターネットによる取り込み要求が出てきている。
また、いずれの従来例にも、予め外部メモリに情報データを準備し、画面や操作環境も含めて切り替えられるものはない。
【０００５】
【発明が解決しようとする課題】
本発明は以上のような従来技術に鑑みてなされたもので、デジタルカメラの外部メモリに、画像に関連付ける定型句等の情報ファイルを定義し、デジタルカメラ上の操作で情報データを選択し、選択した情報データを撮影時にＥｘｉｆファイルに取り込むことが簡単にできるようにしたデジタルカメラ装置を提供することを目的としている。
本発明はまた、定型句等の情報ファイルに属性を定義することで、選択項目ごとの業種、業務、その他適宜の分類に応じた操作環境を提供できるデジタルカメラ装置を提供することを目的としている。
【０００６】
【課題を解決するための手段】
請求項１記載の発明は、外部メモリを挿入するスロットを有するデジタルカメラ装置であって、外部メモリの中に定型句等が入った情報ファイルを定義し、デジタルカメラからの操作で指定された情報ファイルから定型句等を選択できる機能を有し、撮影時に選択した情報データをＥｘｉｆファイルに登録する機能を有することにより、外部メモリに供給されている内容に応じた情報データを選択するだけで情報データをＥｘｉｆファイルに付加できることを特徴とする。
このように構成することによって、例えば、業種、業務等に特化した情報データを画像に関連付けることが可能になる。
【０００７】
請求項２記載の発明は、外部メモリを挿入するスロットを有するデジタルカメラ装置であって、外部メモリの中に定型句等が入った情報ファイルを定義し、さらに、情報ファイル内または別ファイルに対応する情報項目の属性を定義し、その属性に応じてデジタルカメラの画面表示をデジタルカメラからの切り替え操作によってまたは作業内容によって自動で切り替えることができる機能を有することにより、外部メモリに供給されている内容に応じた操作画面に切り替えることができることを特徴とする。
このように構成することによって、例えば、業種、業務等に特化した操作画面にすることができ、画像ファイル管理の利便性をより高めることが可能になる。
【０００８】
請求項３記載の発明は、外部メモリを挿入するスロットを有するデジタルカメラ装置であって、外部メモリの中に定型句等が入った情報ファイルを定義し、さらに、情報ファイル内または別ファイルに情報ファイルの属性を定義し、その属性に応じてデジタルカメラからの操作で情報データを変化させる機能を有することにより、外部メモリに供給されている内容に応じて情報データを変化させることができることを特徴とする。
このように構成することによって、選択した情報データを簡単な操作で変化させていき画像に取り込んでいくことが可能になる。
【０００９】
請求項４記載の発明は、外部メモリを挿入するスロットを有するデジタルカメラ装置であって、外部メモリの中に定型句等が入った情報ファイルを定義し、さらに、情報ファイル内または別ファイルに情報ファイルの属性を定義し、その属性に応じてデジタルカメラに予め登録してある情報データを、選択した情報データに追加しまたは切り替える機能を有することにより、外部メモリに供給されている内容に応じて情報データを自動的に変化させることができることを特徴とする。
このように構成することによって、情報ファイルには汎用名で入れておき、これをデジタルカメラ固有の内容に置き換えて登録することができ、情報ファイルの記述を汎用的にすることが可能になる。
【００１０】
請求項５記載の発明は、外部メモリを挿入するスロットを有し、外部メモリの中に定型句等が入った情報ファイルを定義し、デジタルカメラからの操作で指定された情報ファイルから定型句等を選択できる機能を有し、撮影時に選択した情報データをＥｘｉｆファイルに登録する機能を有するデジタルカメラであって、選択した情報データを撮影時のモニタリング画面に表示する機能を有し、その内容の情報項目数分を一括してまたは切り替えによって確認できる機能を有することにより、撮影直前に取り込まれる情報内容の再確認ができることを特徴とする。
このように構成することによって、選択した情報データを撮影直前に一括してまたは切り替えながら再確認することが可能になる。
【００１１】
【発明の実施の形態】
以下、図面を参照しながら本発明にかかるデジタルカメラ装置の実施形態について説明する。
デジタルカメラの代表的な基本構成例を図１に示す。図１において、被写体像は図示されない撮影レンズによって撮像デバイスであるＣＣＤ１０の撮像面に結像され、ＣＣＤ１０により電気信号に変換される。この電気信号は、例えば８ビット（２５６階調）から１２ビット（４０９６階調）のＡ−Ｄ変換器１１でデジタル信号に変換された後、デジタル信号処理部１２に入力される。信号処理部１２で実行される主な処理は、（１）オートフォーカス（ＡＦ）、自動絞り制御（ＡＥ）、オートホワイトバランス（ＡＷＢ）のために必要な測光演算、（２）解像度ならびに色再現性を高めるための輝度と色の信号処理、（３）符号化である。信号処理部１２で処理された画像データは、圧縮／伸張部１３によって、画像データの記録ならびに再生に必要なデータ圧縮と伸張が行われる。符号化され圧縮されたデータは記録媒体であるメモリ１４に書き込まれる。記録されたデータは、圧縮／伸張部１３によって伸張され、Ｄ−Ａ変換器１５によりラスターデータに変換された後、ＴＶモニター用のビデオ信号として出力され、モニターに画像が表示される。
【００１２】
本発明にかかるデジタルカメラ装置の内部回路例を図２に示す。図２において、パソコンＩ／Ｆ制御部２２を通してパソコンとのデータ伝送が行われる。デジタルカメラは、外部メモリ２１を挿入するスロットを有している。このスロットに外部メモリ２１を挿入することにより、外部メモリ２１に格納された記録ファイルを、メモリ制御部２０を経由してカメラ内部に取り込み、取り込んだ記録ファイルをパソコンＩ／Ｆ制御部２２を経由して図示されないパソコンに送ることができる。外部メモリ２１は特定の規格のものに限られるものではない。例えば、ＣＦやＳＤに対応するものが考えられる。パソコンとのデータ伝送処理は、プログラムＲＯＭ１８に書き込まれたプログラムによって実行される。パソコンＩ／Ｆとしては任意のものを選択してよいが、例えば、ＵＳＢ（ユニバーサル・シリアル・バス）を採用してもよい。
図２において、符号１７はデジタルカメラ全体を制御するＣＰＵ、１８は制御プログラムを格納したＲＯＭ、２０はメモリ制御部、１６は液晶ディスプレイで表示する場合の表示制御部、２４は入力装置の一つであるタッチパネルをそれぞれ示している。
【００１３】
外部メモリ２１内のファイルシステムは、ＤＣＦ（Ｄｅｓｉｇｎ　ｒｕｌｅ　ｆｏｒ　Ｃａｍｅｒａ　Ｆｉｌｅ　ｓｙｓｔｅｍ）に準じて構成される。ＤＣＦとは、デジタルスチルカメラのファイルシステム規格で、日本電子工業振興協会（電子協）が１９９９年１月に策定したものである。ＤＣＦで規定しているのは、
１．基本ファイルとしてのＥｘｉｆの使用範囲
２．ファイルを記録するディレクトリ構造とファイル名のルール
３．画素数、小画面（サムネイル）の利用など画像再生に関する規定
４．非圧縮画像や動画ファイルを記録するための拡張仕様
５．画像に関連する音声ファイルを記録・移動する際のファイル操作
である。
【００１４】
本発明の実施形態においては、記録ファイルが入れられるＤＣＩＭディレクトリと同じ階層に、ＴＥＭＰＬＡＴＥフォルダを定義してその中に入れるようになっている。情報ファイルは、情報項目数に応じて、例えばファイル名で区別された形式で登録される。図３に、ファイルシステムの例、情報ファイル定義の例、およびその情報ファイルの内容として定型句情報データの例を示す。図３の例において、情報ファイルはＴＥＭＰＬＡＴＥディレクトリの下に、ＣＭＥＭＯｘ．ＴＸＴとして登録される。ｘの部分は情報項目数によって変わり、選択画面の例ではメモｘの位置に対応する。さらに、ＣＭＥＭＯｘ．ＴＸＴの例を以下に述べる。／／部分は，コメント行とし無視される。
／／カメラメモｘ　データリスト
／／Ｓｔａｒｔ
門扉
玄関
洗面所
トイレ
風呂
台所
リビンング
和室
寝室
子供部屋
ベランダ
／／Ｅｎｄ
【００１５】
図３に示す例のＤＣＦディレクトリ、例えば１００ＲＩＣＯＨの中に、ＤＣＦオブジェクトになる記録ファイルが格納される。記録ファイルは、前述のＥｘｉｆ形式に準じて作成される。Ｅｘｉｆ形式の記録ファイルには、主画像とサムネイル画像を書き込むエリアが規定されている。
【００１６】
図３の例では、５つの情報項目数の例になっている。この情報項目の選択画面の例を図４に示す。例えば、撮影モードで、ＭＥＮＵキーの操作によって図４に示す選択画面に移行する。この選択画面には、項目名がディフォルトでＭＥＭＯ１からＭＥＭＯ５まで入っている。さらにこれに入力済みの情報データを対応させて表示している。ＭＥＭＯ１〜ＭＥＭＯ５はそれぞれ情報ファイルのＣＭＥＭＯ１．ＴＸＴ〜ＣＭＥＭＯ５．ＴＸＴに対応している。デジタルカメラからのキー操作で、例えばＭＥＭＯ４を選択すると、画面が移行して図５に示すような画面になり、情報ファイルの内容がデータリストの形式で表示される。
【００１７】
次に、定型句情報データとして、Ｅｘｉｆへ登録した例を図６に、その処理フロー例を図７に示す。この例は、外部メモリのＴＥＭＰＬＡＴＥフォルダの情報ファイル有無によって、情報ファイルがある場合には、情報項目を選択した場合に情報内容が表示され、この情報項目の中から選択して、これを撮影時にＥｘｉｆファイルへ登録することを可能にしたものである。それによって、外部メモリを切り替えて、仕事の内容等に応じた画像付加情報をつけることが可能になる。
【００１８】
以下、そのフローを、図７を参照しながら具体的に説明する。動作ステップを（Ｓ１）（Ｓ２）・・のように表す。モニタリング画面からメニューが選択されると、選択画面への表示処理が行われる（Ｓ１）。情報項目選択処理（Ｓ２）で情報データを選択したい情報項目を選ぶ。予め定型句等が登録してあり、その中から該当するものを選択できるようになっている。次に、情報項目名に一致する情報ファイルがメモリにあるかどうかをチェックし（Ｓ３）、ある場合は一致する情報ファイルの情報データを一覧表示する（Ｓ４）。この一覧表示された情報ファイルの中から情報データを選択することによって、選択された情報データが画面に表示される（Ｓ５）。
【００１９】
情報項目名に一致する情報ファイルがメモリにあるかどうかのチェック（Ｓ３）において、一致する情報ファイルがなかった場合は、画面上にソフトウェアキーボード表示を行い（Ｓ７）、このソフトウェアキーボードから情報データを入力する（Ｓ８）。この入力された情報データに一致する情報データが情報ファイルの中から選択されて表示される（Ｓ５）。撮影時に、選択した情報データをＥｘｉｆファイルに取り込んで登録し（Ｓ６）一連の動作を終了する。
このようにして、外部メモリに供給されている内容に応じた情報データを選択するだけで情報データをＥｘｉｆファイルに付加することができる。
【００２０】
次に、属性を定義する例として、個々の情報ファイル内に定義する例と、情報ファイルとは別にファイルを定義する例について説明する。
まず、属性を個々のファイル内に定義した例を示す。
ＣＭＥＭＯｘ．ＴＸＴの内容例
／／カメラメモｘ　データリスト
／／Ｓｔａｒｔ
＠Ｄｉｓｐｌａｙ：項目名＝工事区
門扉
玄関
洗面所
トイレ
風呂
台所
リビンング
和室
寝室
子供部屋
ベランダ
／／Ｅｎｄ
本例では、＠：属性定義文を示す。
Ｄｉｓｐｌａｙ：表示を示す。
項目名：項目名の表示内容であることを示す。
【００２１】
図８は、属性を定義する例として、情報ファイルとは別にファイルを定義する例を示す。この例では、ＴＥＭＰＬＡＴＥディレクトリにＡＴＴＲＩＢ．ＴＸＴファイルを定義した。ＡＴＴＲＩＢ．ＴＸＴファイルの内容の例を次に示す。／／部分は，コメント行とし無視される。
／／属性データリスト
／／Ｓｔａｒｔ
ＣＭＥＭＯ１；
＠Ｄｉｓｐｌａｙ：項目名＝顧客名
ＣＭＥＭＯ２；
＠Ｄｉｓｐｌａｙ：項目名＝工期
ＣＭＥＭ０３；
＠Ｄｉｓｐｌａｙ：項目名＝工事区
ＣＭＥＭ０４；
＠Ｄｉｓｐｌａｙ：項目名＝作業部位
ＣＭＥＭ０５；
＠Ｄｉｓｐｌａｙ：項目名＝完成度
／／Ｅｎｄ
【００２２】
さらに、切り替えた画面例を図９に示し、処理フローを図１０に示す。図１０に示す処理フローのように、属性の定義によって、外部メモリに供給されている内容に応じた操作画面に切り替えることができる。図１０の処理フローを具体的に説明する。モニタリング画面からメニューが選択されると、選択画面への表示処理が行われる（Ｓ１１）。情報項目選択処理（Ｓ１２）で情報データを選択したい情報項目を選ぶ。情報項目を選択したタイミングで属性ファイルの指定を確認し、属性ファイルにディスプレイ属性があるかどうかチェックする（Ｓ１３）。ディスプレイ属性があれば表示入れ替え処理すなわち属性ファイルで指定された表示を入れ替え（Ｓ１４）、次の情報項目名に一致するファイルはメモリにあるかをチェックするステップ（Ｓ１５）にいく。Ｓ１３でディスプレイ属性がなければＳ１５に飛ぶ。Ｓ１５で一致するファイルがあれば、一致する情報ファイルの情報データを一覧表示し（Ｓ１６）、一覧表示された情報ファイルの中から情報データを選択することによって、選択された情報データを画面に表示する（Ｓ１７）。
【００２３】
情報項目名に一致する情報ファイルがメモリにあるかどうかのチェック（Ｓ１５）において、一致する情報ファイルがなかった場合は、画面上にソフトウェアキーボードを表示し（Ｓ１９）、このソフトウェアキーボードから情報データを入力する（Ｓ２０）。この入力された情報データに一致する情報データが情報ファイルの中から選択されて表示される（Ｓ１７）。撮影時に、選択した情報データをＥｘｉｆファイルに取り込んで登録し（Ｓ１８）一連の動作を終了する。
【００２４】
属性に対応させてデジタルカメラからの操作で情報データを変化させる例として、属性を数字とした例について説明する。情報データは、ソフトウェアキーボードまたは情報ファイルから取り込む。ＡＴＴＲＩＢ．ＴＸＴファイルの内容例を次に示す。
／／Ｓｔａｒｔ
ＣＭＥＭＯ１；
＠ｆｉｇｕｒｅ：
／／Ｅｎｄ
【００２５】
図１１に、属性が数字になっている場合のメニュー画面の例を、図１２に画面イメージの例を、図１３に処理フローを示す。図１３に示すフローのように、数字属性に定義されている場合、例えば上下キーにより数字をアップダウンさせてＥｘｉｆに取り込む情報データを簡単に変化させていくことが可能になる。図１１に示すメニュー画面の例において、設定された情報データは、撮影時のモニタリング中に以下のようにＯＳＤ表示される。
上下キーで操作することによって、例えば、
上キーでは、１カウントアップされて、「１２３４５６７８９０１２３４５６８」
下キーでは、１カウントダウンされて、「１２３４５６７８９０１２３４５６６」
となる。
【００２６】
図１３に示すフローを具体的に説明する。モニタリング画面上で上下キーを選択しながら属性ファイルに数字（ｆｉｇｕｒｅ）属性があるかをチェックし（Ｓ２１）、あれば上キーかどうかをチェックし（Ｓ２２）、上キーであれば情報データのカウントアップ処理を行い（Ｓ２３）、下キーであれば情報データのカウントダウン処理を行う（Ｓ２５）。カウントアップまたはカウントダウン処理のあと、また、Ｓ２１で属性ファイルに数字属性がなかった場合は、撮影時情報データをＥｘｉｆファイルに取り込み（Ｓ２４）、動作を終了する。
【００２７】
次に、属性に対応させてデジタルカメラで登録されている情報データと切り替える例として、属性をデジタルカメラの項目名に対応させる例について説明する。デジタルカメラに登録されている属性名の例を以下に示す。ここでは、オーナー情報として以下の内容がデジタルカメラに登録されているものとする。デジタルカメラに登録されている登録名を情報ファイルから選択すると、デジタルカメラの登録内容に自動的に切り替えて登録するようになっている。
情報ファイル＝デジタルカメラの登録内容　　デジタルカメラの情報データ
氏名　　　　　　　　　　　　　　徳川秀吉
住所　　　　　　　　　　　　　　東京都大田区大森
電話番号　　　　　　　　　　　　０３−１２３４−５６７８
生年月日　　　　　　　　　　　　１６４２／０７／１４
会社名　　　　　　　　　　　　　徳川幕府株式会社
ＡＴＴＲＩＢ．ＴＸＴファイルの内容例
／／Ｓｔａｒｔ
ＣＭＥＭＯ１；
＠ｔｒａｎｓ：
／／Ｅｎｄ
【００２８】
上記の例における処理フロー例を図１４に示す。図１４のように、変換属性に定義されている場合、デジタルカメラに登録されている内容に自動的に切り替えて、Ｅｘｉｆに取り込むことが可能になる。図１４において、モニタリング画面からメニューが選択されると、選択画面への表示処理が行われる（Ｓ３１）。情報項目選択処理（Ｓ３２）で情報データを選択したい情報項目を選ぶ。次に、情報データ選択処理（Ｓ３３）において情報ファイルリストから情報データを選択する。次に、属性ファイルにＴｒａｎｓ属性はあるかチェックするステップ（Ｓ３４）で、情報項目選択のタイミングで属性ファイルの指定を確認する。属性があれば表示変換処理ステップ（Ｓ３５）で、属性ファイルで指定されたデータをデジタルカメラの登録内容に変換する。変換された情報データが選択画面で表示される（Ｓ３６）。ステップ（Ｓ３４）で、属性がない場合もステップＳ３６に飛ぶ。そして、撮影時選択情報データをＥｘｉｆファイルに取り込み（Ｓ３７）、動作を終了する。
【００２９】
この実施形態のように構成することにより、情報ファイルには汎用名で入れておいて、デジタルカメラ固有の内容に置き換えて登録することができることから、情報ファイルの記述を汎用的にすることが可能になる。
上記実施形態によれば、例えば、業種、業務等に特化した操作画面にすることができ、画像ファイル管理の利便性をより高めることが可能になる。
【００３０】
モニタリング中の表示は，撮影残枚数等の情報表示と同じようにＯＳＤ表示で行う。一括の情報表示例を図１５に示す。さらに情報切り替えの例として、上下キー等で操作する方法を取り入れることもできるし、自動的に上下や左右にスクロールして切り替える方法を取り入れることもできる。このように、モニタリング中に情報データを表示することで、撮影直前に内容を再確認することができる。
【図面の簡単な説明】
【図１】デジタルカメラの一般的な回路構成の概要を示すブロック図である。
【図２】本発明にかかるデジタルカメラ装置の実施の形態を示すブロック図である。
【図３】上記実施の形態におけるファイルシステムの例を示す系統図である。
【図４】上記実施形態における選択画面の例を示す図である。
【図５】上記選択画面によって選択された画面の例を示す図である。
【図６】上記実施形態においてＥｘｉｆへ登録される定型句情報データの例を示す図である。
【図７】上記実施形態の動作を示すフローチャートである。
【図８】本発明の別の実施形態において属性を別ファイルで定義した例を示す系統図である。
【図９】上記実施形態における選択画面の例を示す図である。
【図１０】上記実施形態の動作を示すフローチャートである。
【図１１】本発明のさらに別の実施形態における選択画面の例を示す図である。
【図１２】上記選択画面によって選択された画面の例を示す図である。
【図１３】上記実施形態の動作を示すフローチャートである。
【図１４】本発明のさらに別の実施形態の動作を示すフローチャートである。
【図１５】モニタリング中に情報の表示を一括して行う場合の画面の例を示す図である。
【符号の説明】
１０　撮影デバイス
１２　信号処理部
２１　外部メモリ
【図１】
2004048564.tif 000003
【図２】
2004048564.tif 000004
【図３】
2004048564.tif 000005
【図４】
2004048564.tif 000006
【図５】
2004048564.tif 000007
【図６】
2004048564.tif 000008
【図７】
2004048564.tif 000009
【図８】
2004048564.tif 000010
【図９】
2004048564.tif 000011
【図１０】
2004048564.tif 000012
【図１１】
2004048564.tif 000013
【図１２】
2004048564.tif 000014
【図１３】
2004048564.tif 000015
【図１４】
2004048564.tif 000016
【図１５】
2004048564.tif 000017